【事件の表示】
　特許第３２２９８７６号「眼底カメラ」の請求項１、２に係る特許に対する特許異議の申立てについて、次のとおり決定する。
【結　論】
　訂正を認める。
　特許第３２２９８７６号の請求項１に係る特許を維持する。
【理　由】
１．手続の経緯
　特許第３２２９８７６号の発明についての出願は、平成２年１２月２９日に出願され、平成１３年９月７日にその発明について特許権の設定登録がなされ、その後、異議申立人石川郁子、高柳智明より特許異議の申立てがなされ、取消しの理由が通知され、その指定期間内である平成１４年１２月１０日に訂正請求がなされたものである。
２．訂正の適否
（１）訂正の内容
　特許明細書の記載を訂正請求書に添付した訂正明細書のとおりに訂正するもので、以下の訂正事項ａ−ｄよりなる。
　訂正事項ａ
　請求項１の
「ランプ光源の照明により観察しフラッシュ光源の発光により撮影する眼底カメラにおいて、観察撮影光路に設けた第１のクイックリターンミラーと、該第１のクイックリターンミラーの反射光路に設けた第２のクイックリターンミラーと、該第２のクイックリターンミラーの反射光路に設けた観察光学系と、前記第１のクイックリターンミラーを跳ね上げたときの通過光路に設けたフィルムカメラと、前記第２のクイックリターンミラーを跳ね上げたときの通過光路に設け前記フィルムカメラとは感度が異なる電子カメラとを有し、前記フィルムカメラに撮影するときは前記第１のクイックリターンミラーの跳ね上げに同期して前記フラッシュ光源を発光し、前記電子カメラに撮影するときは前記第１のクイックリターンミラーを光路に保持して前記第２のクイックリターンミラーの跳ね上げに同期して前記フラッシュ光源を発光し、前記フィルムカメラ及び前記電子カメラで選択的に撮影するように制御する制御手段を有することを特徴とする眼底カメラ。」を
「ランプ光源の照明により観察しフラッシュ光源の発光により撮影する眼底カメラにおいて、観察撮影光路に設けた第１のクイックリターンミラーと、該第１のクイックリターンミラーの反射光路に設けた第２のクイックリターンミラーと、該第２のクイックリターンミラーの反射光路に設けた観察光学系と、前記第１のクイックリターンミラーを跳ね上げたときの通過光路に設けたフィルムカメラと、前記第２のクイックリターンミラーを跳ね上げたときの通過光路に設け前記フィルムカメラとは感度が異なる電子カメラと、前記フィルムカメラによる撮影と前記電子カメラによる撮影を選択する撮影選択手段と、前記フィルムカメラと前記電子カメラ用に別個に設けたコンデンサ回路と、前記フィルムカメラと前記電子カメラのそれぞれの感度に応じて前記コンデンサ回路の電荷を基に前記フラッシュ光源によるそれぞれ複数の発光量を出力可能な光量調節回路と、前記撮影選択手段による選択に応じて前記フィルムカメラに撮影するときは前記第１のクイックリターンミラーの跳ね上げに同期して前記光量調節回路により前記フラッシュ光源を発光し、前記電子カメラに撮影するときは前記第１のクイックリターンミラーを光路に保持して前記第２のクイックリターンミラーの跳ね上げに同期して前記光量調節回路により前記フラッシュ光源を発光し、前記フィルムカメラ及び前記電子カメラで選択的に撮影するように制御する制御手段とを有することを特徴とする眼底カメラ。」
と訂正する。
　訂正事項ｂ
　請求項２を削除する。
　訂正事項ｃ
　【０００５】【課題を解決するための手段】の
「上述の目的を達成するための本発明に係る眼底カメラは、ランプ光源の照明により観察しフラッシュ光源の発光により撮影する眼底カメラにおいて、観察撮影光路に設けた第１のクイックリターンミラーと、該第１のクイックリターンミラーの反射光路に設けた第２のクイックリターンミラーと、該第２のクイックリターンミラーの反射光路に設けた観察光学系と、前記第１のクイックリターンミラーを跳ね上げたときの通過光路に設けたフィルムカメラと、前記第２のクイックリターンミラーを跳ね上げたときの通過光路に設け前記フィルムカメラとは感度が異なる電子カメラとを有し、前記フィルムカメラに撮影するときは前記第１のクイックリターンミラーの跳ね上げに同期して前記フラッシュ光源を発光し、前記電子カメラに撮影するときは前記第１のクイックリターンミラーを光路に保持して前記第２のクイックリターンミラーの跳ね上げに同期して前記フラッシュ光源を発光し、前記フィルムカメラ及び前記電子カメラで選択的に撮影するように制御する制御手段を有することを特徴とする。」を
「上述の目的を達成するための本発明に係る眼底カメラは、ランプ光源の照明により観察しフラッシュ光源の発光により撮影する眼底カメラにおいて、観察撮影光路に設けた第１のクイックリターンミラーと、該第１のクイックリターンミラーの反射光路に設けた第２のクイックリターンミラーと、該第２のクイックリターンミラーの反射光路に設けた観察光学系と、前記第１のクイックリターンミラーを跳ね上げたときの通過光路に設けたフィルムカメラと、前記第２のクイックリターンミラーを跳ね上げたときの通過光路に設け前記フィルムカメラとは感度が異なる電子カメラと、前記フィルムカメラによる撮影と前記電子カメラによる撮影を選択する撮影選択手段と、前記フィルムカメラと前記電子カメラ用に別個に設けたコンデンサ回路と、前記フィルムカメラと前記電子カメラのそれぞれの感度に応じて前記コンデンサ回路の電荷を基に前記フラッシュ光源によるそれぞれ複数の発光量を出力可能な光量調節回路と、前記撮影選択手段による選択に応じて前記フィルムカメラに撮影するときは前記第１のクイックリターンミラーの跳ね上げに同期して前記光量調節回路により前記フラッシュ光源を発光し、前記電子カメラに撮影するときは前記第１のクイックリターンミラーを光路に保持して前記第２のクイックリターンミラーの跳ね上げに同期して前記光量調節回路により前記フラッシュ光源を発光し、前記フィルムカメラ及び前記電子カメラで選択的に撮影するように制御する制御手段とを有することを特徴とする。」
と訂正する。
　訂正事項ｄ
　【００１２】の
「電子カメラ１２のみの撮影を行う場合には、・・・・・・・・撮影用ストロボコンデンサ３ｃ’に充電された電荷によって撮影用フラッシュ光源３が発光され、電子カメラ１２で眼底像記録が行われる。」を
「電子カメラ１２のみの撮影を行う場合には、・・・・・・・・撮影用ストロボコンデンサ３ｂ’に充電された電荷によって撮影用フラッシュ光源３が発光され、電子カメラ１２で眼底像記録が行われる。」
と訂正する。
（２）訂正の目的の適否、新規事項の有無、及び特許請求の範囲の拡張・変更の存否についての判断
　訂正事項ａは、請求項１に係る発明が、撮影選択手段、コンデンサ回路、光量調節回路を有し、制御手段が撮影選択手段による選択に応じて作動し、光量調節回路によりフラッシュ光源を発光するように制御するものである、という構成を付加するものであり、特許請求の範囲の減縮を目的とするものである。
　訂正事項ｂも特許請求の範囲の減縮を目的とするものである。
　訂正事項ｃは、訂正事項ａにより訂正された請求項１との整合を図るため発明の詳細な説明の記載を訂正するものであり、明りょうでない記載の釈明を目的とするものである。
　訂正事項ｄは、誤記の訂正を目的とするものである。
　訂正事項ａ−ｄは、いずれも、願書に添付した明細書又は図面に記載した事項の範囲内においてするものであり、実質上特許請求の範囲を拡張し、又は変更するものではない。
　したがって、上記訂正は、特許法第１２０条の４第３項で準用する平成６年法律第１１６号による改正前の特許法第１２６条第１項ただし書、第２項の規定に適合するので、当該訂正を認める。
３．特許異議の申立ての概要
（１）申立人石川郁子は、証拠として、甲第１−４号証を提出して請求項１，２に係る発明の特許は、特許法第２９条の２及び第２９条第２項の規定に違反してされたものであるから取り消されるべきである、と主張している。
（２）申立人高柳智明は、証拠として甲第１−３号証を提出して請求項１，２に係る発明の特許は、特許法第２９条第２項の規定に違反してされたものであるから取り消されるべきである、と主張している。
４．特許異議の申立てについての判断
（１）本件発明
　訂正明細書の請求項１に係る発明（以下、「本件発明」という。）は、訂正明細書の特許請求の範囲の請求項１に記載されたとおりのものである。（上記２．（１）訂正事項ａ参照）
（２）引用先願及び引用刊行物
　当審が通知した取消しの理由に引用した先願及び刊行物は次のとおりである。
先願（特許法第２９条の２違反）
特願平２−１８３３８０号（特開平４−７１５２６号公報（申立人石川郁子の提出した甲第１号証））
刊行物（特許法第２９条２項違反）
刊行物１：特開昭５６−５６３８号公報（申立人石川郁子の提出した甲第２号証）
刊行物２：特開昭６２−９４１３４号公報（申立人石川郁子の提出した甲第３号証）
刊行物３：特開昭５８−７５５３４号公報（申立人石川郁子の提出した甲第４号証）
刊行物４：特開昭５７−８４０３８号公報（申立人高柳智明の提出した甲第１号証）
刊行物５：特開昭６１−２２０６２５号公報（申立人高柳智明の提出した甲第２号証）
刊行物６：特開昭５８−７５５３４号公報（申立人高柳智明の提出した甲第３号証、刊行物３と同じ）
（３）対比・判断
　先願明細書には、被検眼の瞳孔径に対応して、光学系の光路中の絞りを切り換える切換手段と、撮影モードをフィルム記録モードから電子映像記録モードに切り換える記録モード切換手段とを有することを特徴とする眼底カメラに関する発明が記載されており、発光制御手段２８は、フィルム記録モードのときにキセノンランプ４を発光させ、電子映像記録モードのときには、必要に応じて発光させ又は発光させないようにすること、キセノンランプ４の光量を増減させ、良好な電子映像記録画像を得るようにすることが記載されているが、本件発明の構成要件である「フィルムカメラと電子カメラ用に別個に設けたコンデンサ回路と、前記フィルムカメラと前記電子カメラのそれぞれの感度に応じて前記コンデンサ回路の電荷を基にフラッシュ光源によるそれぞれ複数の発光量を出力可能な光量調節回路」については記載がなく示唆されてもいない。
　したがって、本件発明は、先願明細書に記載された発明ではなく、本件発明の特許は、特許法第２９条の２の規定に違反してされたものではない。
　刊行物１−６には、それぞれ、眼底カメラに関する発明が記載されているが、いずれの刊行物にも、本件発明の構成要件である「フィルムカメラと電子カメラ用に別個に設けたコンデンサ回路と、前記フィルムカメラと前記電子カメラのそれぞれの感度に応じて前記コンデンサ回路の電荷を基にフラッシュ光源によるそれぞれ複数の発光量を出力可能な光量調節回路」については記載がなく示唆されてもいない。
　したがって、当業者が刊行物１−６に記載された発明をどのように組み合わせても本件発明を容易に想到することはできず、本件発明の特許は、特許法第２９条第２項の規定に違反してされたものではない。
５．むすび
　以上のとおりであるから、特許異議の申立ての理由及び証拠によっては、請求項１に係る発明の特許を取り消すことはできない。
　また、他に請求項１に係る発明の特許を取り消すべき理由を発見しない。
　よって、結論のとおり決定する。
【異議決定日】
平成１６年１月６日（２００４．１．６）
【訂正の要旨】
審決（決定）の【理由】欄参照。
（５４）【発明の名称】
眼底カメラ
（５７）【特許請求の範囲】
　【請求項１】　ランプ光源の照明により観察しフラッシュ光源の発光により撮影する眼底カメラにおいて、観察撮影光路に設けた第１のクイックリターンミラーと、該第１のクイックリターンミラーの反射光路に設けた第２のクイックリターンミラーと、該第２のクイックリターンミラーの反射光路に設けた観察光学系と、前記第１のクイックリターンミラーを跳ね上げたときの通過光路に設けたフィルムカメラと、前記第２のクイックリターンミラーを跳ね上げたときの通過光路に設け前記フィルムカメラとは感度が異なる電子カメラと
、前記フィルムカメラによる撮影と前記電子カメラによる撮影を選択する撮影選択手段と、前記フィルムカメラと前記電子カメラ用に別個に設けたコンデンサ回路と、前記フィルムカメラと前記電子カメラのそれぞれの感度に応じて前記コンデンサ回路の電荷を基に前記フラッシュ光源によるそれぞれ複数の発光量を出力可能な光量調節回路と、前記撮影選択手段による選択に応じて
前記光量調節回路により
前記光量調節回路により
【発明の詳細な説明】
　【０００１】
　【発明の属する技術分野】
　本発明は、例えば眼科医院等で使用される眼底カメラに関するものである。
　【０００２】
　【従来の技術】
　従来の眼底カメラにおいては、フィルムカメラとビデオカメラに眼底像を撮像するものが知られている。
　【０００３】
　【発明が解決しようとする課題】
　しかしながら、上述の従来例においては、タイミングの問題により、観察光学系を介して確認したように眼底像が良好に映らないことがある。
　【０００４】
　本発明の目的は、上述の従来例の欠点を解消し、観察光学系で確認した通りに撮影できる眼底カメラを提供することにある。
　【０００５】
　【課題を解決するための手段】
　上述の目的を達成するための本発明に係る眼底カメラは、ランプ光源の照明により観察しフラッシュ光源の発光により撮影する眼底カメラにおいて、観察撮影光路に設けた第１のクイックリターンミラーと、該第１のクイックリターンミラーの反射光路に設けた第２のクイックリターンミラーと、該第２のクイックリターンミラーの反射光路に設けた観察光学系と、前記第１のクイックリターンミラーを跳ね上げたときの通過光路に設けたフィルムカメラと、前記第２のクイックリターンミラーを跳ね上げたときの通過光路に設け前記フィルムカメラとは感度が異なる電子カメラと
、前記フィルムカメラによる撮影と前記電子カメラによる撮影を選択する撮影選択手段と、前記フィルムカメラと前記電子カメラ用に別個に設けたコンデンサ回路と、前記フィルムカメラと前記電子カメラのそれぞれの感度に応じて前記コンデンサ回路の電荷を基に前記フラッシュ光源によるそれぞれ複数の発光量を出力可能な光量調節回路と、前記撮影選択手段による選択に応じて
前記光量調節回路により
前記光量調節回路により
　【０００６】
　【発明の実施の形態】
　本発明を図示の実施例に基づいて詳細に説明する。
　図１は実施例の構成図を示し、連続点灯の観察用光源１から被検眼Ｅに至る光路０１上には、レンズ２、後述するように光量を可変としたキセノン管から成る撮影用フラッシュ光源３、レンズ４、穴開きミラー５、対物レンズ６が配置され、穴開きミラー５の背後の光路０２上にはレンズ７、クイックリターンミラー８、フィルムカメラ９のフィルムＦが配置され、クイックリターンミラー１０の反射方向には光学ファインダ１３が配置されている。また、眼底カメラ全体の制御のために制御手段１４が設けられ、この制御手段１４に電子カメラ１２、４個の押釦を有する撮影選択手段１５、駆動回路１６、１７が接続されている。そして、駆動回路１６の出力はクイックリターンミラー８に、駆動回路１７の出力はクイックリターンミラー１０に接続されていて、これらの駆動回路１６、１７によって、クイックリターンミラー８は光路０２上に挿脱可能とされ、クイックリターンミラー１０は光路０３上に挿脱可能とされている。なお、観察用光源１はレンズ２によって撮影用フラッシュ光源３と共役とされ、撮影用フラッシュ光源３はレンズ４によって穴開きミラー５に共役とされ、更に対物レンズ６によって被検眼Ｅの瞳孔Ｅｐに共役とされている。
　【０００７】
　図２は撮影用フラッシュ光源３の光量調節回路の構成図を示し、充電回路３ａに、撮影用ストロボコンデンサ３ｂ、３ｂ’、サイリスタ３ｃ、３ｃ’、抵抗３ｄ、撮影用フラッシュ光源３が接続されていて、撮影用ストロボコンデンサ３ｂ又は撮影用ストロボコンデンサ３ｂ’に充電された電荷がサイリスタ３ｃ、３ｃ’を介して撮影用フラッシュ光源３に流れるようになっており、図示は省略しているが制御手段１４がこれらに接続されている。また、撮影用ストロボコンデンサ３ｂ、３ｂ’はそれぞれ複数のコンデンサにより構成されている。制御手段１４によりコンデンサの任意の選択が可能であり、そのための撮影用コンデンサ３ｂ、３ｂ’の容量は可変となっている。そして、制御手段１４からサイリスタ３ｃ、３ｃ’にトリガ信号が入力されるようになっている。
　【０００８】
　観察・位置合わせ時には、駆動回路１６、１７によってクイックリターンミラー８、１０が光路０２、０３上にそれぞれ挿入されて、観察用光源１が点灯される。観察用光源１からの光束は光路０１上を進み、レンズ２、撮影用フラッシュ光源３、レンズ４を介して穴開きミラー５で反射され、対物レンズ６を介して被検眼Ｅに入射され、その眼底反射光束は同じ光路を戻って穴開きミラー５の開口、レンズ７を経て、クイックリターンミラー８、１０で反射され、光学ファインダ１３に到達し、検者はその眼底像を観察して位置合わせを行う。
　【０００９】
　本発明においては、３種類の撮影モード、即ちフィルムカメラ９のみの撮像、電子カメラ１２のみの撮像、フィルムカメラ９及び電子カメラ１２の双方の撮像が可能であり、本実施例においては撮影選択手段１５の押釦Ａ、Ｂ、Ｃの何れかを押して、これらの撮影モードの選択を行っている。
　【００１０】
　図３〜図５は横軸を時間とする各撮影モードにおける各部材の動作状態を示し、Ｔ１、Ｔ２、Ｔ３はそれぞれ制御手段１４からサイリスタ３ｃ、サイリスタ３ｃ’、撮影用フラッシュ光源３に入力されるトリガ信号のオン・オフ状態を示している。なお、撮影以前にはフィルムＦ及び電子カメラ１２の感度に依存して、撮影用ストロボコンデンサ３ｂ、３ｂ’の容量が変化され、撮影用ストロボコンデンサ３ｂ、３ｂ’には撮影に必要な電荷が既に充電されているものとする。
　【００１１】
　フィルムカメラ９のみの撮像を行う場合には、図３に示すように撮影選択手段１５の押釦Ａをオン状態にしておいて、位置合わせ終了後に撮影釦Ｄをオン状態にすると、時間ＴＡ内はクイックリターンミラー８が光路０２から脱離され、その間に制御手段１４からサイリスタ３ｃと撮影用フラッシュ光源３に順次にパルス信号が入力され、撮影用ストロボコンデンサ３ｂに充電された電荷が撮影用フラッシュ光源３に瞬時に放電されて撮影用フラッシュ光源３が発光される。この光束は観察時と同様に進み、フィルムカメラ９で眼底像が記録される。
　【００１２】
　電子カメラ１２のみの撮像を行う場合には、図４に示すように撮像選択手段１５の押釦Ｂをオン状態にしておいて、位置合わせ終了後に撮影釦Ｄをオン状態にすると、時間ＴＢ内はクイックリターンミラー１０が光路０３から離脱され、その間にサイリスタ３ｃ’、撮影用フラッシュ光源３に順次にパルス信号が入力され、撮影用ストロボコンデンサ３
ｂ
　【００１３】
　フィルムカメラ９及び電子カメラ１２の撮像を行う場合には、図５に示すように撮像選択手段１５の押釦Ｃをオン状態にしておいて、撮影釦Ｄをオン状態にすると、前述したフィルムカメラ９による記録、電子カメラ１２による記録が連続して行われる。
　【００１４】
　本発明においては、上述のように両撮影に対して別個に撮影用ストロボコンデンサ３ｂ、３ｂ’を設けており、コンデンサ３ｂ、３ｂ’の容量は制御手段１４によって可変であるから、フィルムＦ、電子カメラ１２の感度によってそれらを変化すれば、撮影用フラッシュ光源３の光量を変化することができ、光量の過不足がない鮮明な眼底像が得られ、各撮影の光量分配率も任意に変化できる。
　【００１５】
　また、撮影用ストロボコンデンサ３ｂ、３ｂ’の容量を一定とし、発光電流を中断することにより撮影用フラッシュ光源３からの光量を変化させる構成としてもよい。
　【００１６】
　【発明の効果】
　以上説明したように本発明に係る眼底カメラは、フィルムカメラで撮影を行うときには第１のクイックリターンミラーを跳ね上げて撮影し、電子カメラで撮影を行うときには第２のクイックリターンミラーを跳ね上げて撮影するので、例えばクイックリターンミラーの振動が収まったときに撮影を行う方式の撮影に比べて、シャッタを押してから撮影するまでの時間を短くすることが可能で、観察光学系で確認した通りの眼底像を撮影することができる。
【図面の簡単な説明】
　【図１】
　実施例の構成図である。
　【図２】
　撮影用フラッシュ光源の光量調節回路の構成図である。
　【図３】
　フィルムカメラによる撮影時の動作説明図である。
　【図４】
　電子カメラによる撮影時の動作説明図である。
　【図５】
　フィルムカメラ及び電子カメラによる撮影時の動作説明図である。
　【符号の説明】
　１　観察用光源
　３　撮影用フラッシュ光源
　３ａ　充電回路
　３ｂ、３ｂ’　撮影用ストロボコンデンサ
　３ｃ、３ｃ’　サイリスタ
　８、１０、　クイックリターンミラー
　９　フィルムカメラ
　１２　電子カメラ
　１４　制御手段
　１５　撮影選択手段
　１６、１７　駆動回路